(57)【特許請求の範囲】
【請求項１】
揮発性成分を含有する物質を収容したケースを保持し、前記ケースから揮発性成分を排出する容器であって、
容器本体、前記ケースを保持した状態で前記容器本体に対して摺動可能なスライド部材、および、前記スライド部材に対して摺動方向に弾性力を作用させる弾性部材からなり、
前記容器本体は、前記スライド部材の通路となる開口を有し、
前記スライド部材は、少なくとも一端側が前記容器本体内部に収容され、
前記ケースは、前記揮発性成分を外部に排出するための開口を有し、
前記容器は、前記スライド部材を前記弾性部材の弾性力に逆らって前記容器本体内部へと移動させて固定した閉鎖状態、および、前記弾性部材の弾性力により前記スライド部材の他端側を前記容器本体の開口から突出させた排出状態を有し、
前記閉鎖状態では、前記容器本体の開口が閉鎖されて前記容器本体内部が密閉され、
前記排出状態では、前記容器本体の開口の閉鎖が解除されて前記容器本体内部が開放され、
前記容器本体に、押圧により前記容器本体内部へと移動させて前記スライド部材の固定を解除する押圧部材を設け、前記押圧部材を押圧することにより前記スライド部材の固定が解除されて前記スライド部材の他端側が前記容器本体の開口から突出して前記閉鎖状態から前記排出状態へと移行し、前記排出状態から前記スライド部材を前記容器本体内部へと摺動させて固定することにより、前記容器本体の開口が閉鎖されて閉鎖状態となり、
前記スライド部材は、一端に前記ケースのケース本体の一端を保持する第１ホルダーを、他端に前記ケース本体の他端を保持する第２ホルダーを有し、前記閉鎖状態では、前記第１ホルダーによって前記容器本体の開口が閉鎖されていることを特徴とする容器。
【請求項２】
前記スライド部材の背面には少なくとも１つの第１の開口が設けられ、
前記閉鎖状態では、前記第１の開口は前記容器本体内部に位置し前記容器本体の背面によって閉じられ、前記ケースの開口が閉鎖され、
前記排出状態では、前記第１の開口は前記容器本体外部に露出され、前記ケースの開口が開放されることを特徴とする請求項１に記載の容器。
【請求項３】
前記スライド部材の背面には少なくとも１つの第２の開口が設けられ、前記容器本体の背面には少なくとも１つの開口が設けられ、
前記閉鎖状態では、前記第２の開口は前記容器本体内部に位置し前記容器本体の背面によって閉じられ、前記容器本体の背面の開口は前記スライド部材の背面によって閉じられることによって、前記ケースの開口が閉鎖され、
前記排出状態では、前記第２の開口と前記容器本体の背面の開口とが互いに重なり、前記ケースの開口が開放されることを特徴とする請求項１または２に記載の容器。
【請求項４】
前記容器本体と前記スライド部材は、前記閉鎖状態では、前記押圧部材の前記容器本体内側の面に設けられた係合突起と、前記スライド部材の第２ホルダーの正面に設けられた係合開口とによって構成される係合部材によって互いに固定されており、
前記容器本体の正面に押圧部材用開口を設け、前記押圧部材用開口に設けた接続部材によって前記押圧部材を前記押圧部材用開口内に移動可能に設け、前記押圧部材を押すことによって前記係合突起が前記係合開口から引き出されて前記スライド部材の前記容器本体への固定が解除され、前記スライド部材を前記弾性部材の弾性力に逆らって摺動させると前記係合突起が前記係合開口に挿入されて前記スライド部材が前記容器本体に固定されることを特徴とする請求項１〜３のいずれか１項に記載の容器。
【請求項５】
前記容器本体内部にはスライド溝が設けられ、前記スライド部材に設けられたスライド突起が前記スライド溝内に摺動可能に配置され、前記スライド溝の一端で前記スライド突起が前記排出状態へと移行する方向への摺動が停止されることを特徴とする請求項１〜４のいずれか１項に記載の容器。
【請求項６】
前記容器本体の背面に、車のエアコンの吹き出し口のルーバーに係止される係止部材が設けられていることを特徴とする請求項１〜５のいずれか１項に記載の容器。
【請求項７】
前記ケースに収容された物質が芳香剤であることを特徴とする請求項１〜６のいずれか１項に記載の容器。
【発明の詳細な説明】
【技術分野】
【０００１】
本発明は、揮発性成分を含有する物質を収容したケースを保持し、揮発性成分を必要に応じてケースから外部に排出することが可能な容器に関する。
【背景技術】
【０００２】
自動車内の消臭効果あるいは芳香効果を得るために、消臭剤、芳香剤等を収容し外部に香りなどを排出する容器が多数存在している。前記容器としては、単に容器に消臭剤または芳香剤を収容し、容器の蓋を開けた状態で車内に配置するもの、あるいは、エアコンのルーバーに取付けてエアコンの風を利用して消臭剤または芳香剤などを車内へ送るもの（特許文献１〜３）等が存在する。
【先行技術文献】
【特許文献】
【０００３】
【特許文献１】実公平７−４８１４号公報
【特許文献２】実開平７−９６１２号公報
【特許文献３】実開平２−６５９３２号公報
【発明の概要】
【発明が解決しようとする課題】
【０００４】
従来の容器において必要に応じて消臭効果、芳香効果等を得るためには、蓋を開けて車内に消臭剤または芳香剤などを排出する形態の容器では、その都度、蓋を開閉する必要がある。また、容器によっては一度開封すると、閉めることができないという問題点がある。また、特許文献１の容器は、透孔を開閉するためには開閉蓋を手で上下にスライドさせる必要がある。
【０００５】
そこで、本発明は、揮発性成分を含有する物質を収容したケース内の成分を必要な時に簡単な操作で排出することができる容器を提供することを目的とする。
【課題を解決するための手段】
【０００６】
本発明の容器は、揮発性成分を含有する物質を収容したケースを保持し、前記ケースから揮発性成分を排出する容器であって、容器本体、前記ケースを保持した状態で前記容器本体に対して摺動可能なスライド部材、および、前記スライド部材に対して摺動方向に弾性力を作用させる弾性部材からなり、前記容器本体は、前記スライド部材の通路となる開口を有し、前記スライド部材は、少なくとも一端側が前記容器本体内部に収容され、前記ケースは、前記揮発性成分を外部に排出するための開口を有し、前記容器は、前記スライド部材を前記弾性部材の弾性力に逆らって前記容器本体内部へと移動させて固定した閉鎖状態、および、前記弾性部材の弾性力により前記スライド部材の他端側を前記容器本体の開口から突出させた排出状態を有し、前記閉鎖状態では、前記容器本体の開口が閉鎖されて前記容器本体内部が密閉され、前記排出状態では、前記容器本体の開口の閉鎖が解除されて前記容器本体内部が開放され、前記容器本体に、押圧により前記容器本体内部へと移動させて前記スライド部材の固定を解除する押圧部材を設け、前記押圧部材を押圧することにより前記スライド部材の固定が解除されて前記スライド部材の他端側が前記容器本体の開口から突出して前記閉鎖状態から前記排出状態へと移行し、前記排出状態から前記スライド部材を前記容器本体内部へと摺動させて固定することにより、前記容器本体の開口が閉鎖されて閉鎖状態となることを特徴とする。
【０００７】
前記スライド部材は、一端に前記ケースのケース本体の一端を保持する第１ホルダーを、他端に前記ケース本体の他端を保持する第２ホルダーを有し、前記閉鎖状態では、前記第１ホルダーによって前記容器本体の開口が閉鎖されている。
【０００８】
前記スライド部材の背面には少なくとも１つの第１の開口が設けられ、前記閉鎖状態では、前記第１の開口は前記容器本体内部に位置し前記容器本体の背面によって閉じられ、前記ケースの開口が閉鎖され、前記排出状態では、前記第１の開口は前記容器本体外部に露出され、前記ケースの開口が開放される。
【０００９】
前記スライド部材の背面には少なくとも１つの第２の開口が設けられ、前記容器本体の背面には少なくとも１つの開口が設けられ、前記閉鎖状態では、前記第２の開口は前記容器本体内部に位置し前記容器本体の背面によって閉じられ、前記容器本体の背面の開口は前記スライド部材の背面によって閉じられることによって、前記ケースの開口が閉鎖され、前記排出状態では、前記第２の開口と前記容器本体の背面の開口とが互いに重なり、前記ケースの開口が開放される。
【００１０】
前記容器本体と前記スライド部材は、前記閉鎖状態では、前記押圧部材の前記容器本体内側の面に設けられた係合突起と、前記スライド部材の第２ホルダーの正面に設けられた係合開口とによって構成される係合部材によって互いに固定されており、前記容器本体の正面に押圧部材用開口を設け、前記押圧部材用開口に設けた接続部材によって前記押圧部材を前記押圧部材用開口内に移動可能に設け、前記押圧部材を押すことによって前記係合突起が前記係合開口から引き出されて前記スライド部材の前記容器本体への固定が解除され、前記スライド部材を前記弾性部材の弾性力に逆らって摺動させると前記係合突起が前記係合開口に挿入されて前記スライド部材が前記容器本体に固定される。
【００１１】
前記容器本体内部にはスライド溝が設けられ、前記スライド部材に設けられたスライド突起が前記スライド溝内に摺動可能に配置され、前記スライド溝の一端で前記スライド突起が前記排出状態へと移行する方向への摺動が停止される。
【００１２】
前記容器本体の背面に、車のエアコンの吹き出し口のルーバーに係止される係止部材が設けられている。
【００１３】
前記ケースに収容された物質が芳香剤である。
【発明の効果】
【００１４】
本発明の容器は、前記スライド部材を前記弾性部材の弾性力に逆らって前記容器本体内部へと移動させて固定した閉鎖状態、および、前記弾性部材の弾性力により前記スライド部材の他端側を前記容器本体の開口から突出させた排出状態を有し、前記閉鎖状態では、前記容器本体の開口が閉鎖されて前記容器本体内部が密閉され、前記排出状態では、前記容器本体の開口の閉鎖が解除されて前記容器本体内部が開放され、前記押圧部材を押圧することにより前記スライド部材の固定が解除されて前記スライド部材の他端側が前記容器本体の開口から突出して前記閉鎖状態から前記排出状態へと移行し、前記排出状態から前記スライド部材を前記容器本体内部へと摺動させて固定することにより、前記容器本体の開口が閉鎖されて閉鎖状態となることによって、押圧部材を押すという簡単な動作で、閉鎖状態から排出状態へと移行させることが可能となり、また、スライド部材を押すことで簡単に閉鎖状態に戻すことも可能となる。
【００１５】
前記スライド部材の背面に少なくとも１つの第１の開口が設けられていると、前記閉鎖状態では、前記スライド部材の背面の第１の開口は前記容器本体内部に位置し前記容器本体の背面によって閉じられ、前記ケースの開口が閉鎖され、前記排出状態では、前記第１の開口は前記容器本体外部に露出され、前記ケースの開口が開放されることによって、排出状態においてスムーズに前記ケース内の揮発性成分を外部へと排出することが可能となる。
【００１６】
前記スライド部材の背面には少なくとも１つの第２の開口が設けられ、前記容器本体の背面には少なくとも１つの開口が設けられていると、前記閉鎖状態では、前記スライド部材の背面の第２の開口は前記容器本体内部に位置し前記容器本体の背面によって閉じられ、前記容器本体の背面の開口は前記スライド部材の背面によって閉じられることによって、前記ケースの開口が閉鎖され、前記排出状態では、前記第２の開口と前記容器本体の背面の開口とが互いに重なり、前記ケースの開口が開放されることにより、排出状態において前記ケース内の揮発性成分を外部へとよりスムーズに排出することが可能となる。
【００１７】
前記容器本体の背面に、車のエアコンの吹き出し口のルーバーと係止する係止部材が設けられていることによって、前記容器を車内に簡単に着脱可能に取付けることができる。
【００１８】
前記ケースに収容された物質として芳香剤を用いることで、前記容器は必要に応じて芳香効果を奏することが可能となる。
【図面の簡単な説明】
【００１９】
【図１】排出状態の容器の斜視図である。
【図２】閉鎖状態の容器の斜視図である。
【図３】容器本体の前半分を取り外した状態の容器の斜視図である。
【図４】容器本体の前半分および第１ホルダーを取り外した状態の容器の斜視図である。
【図５】図１のＡ部の拡大図である。
【図６】排出状態の容器の背面からの斜視図である。
【図７】閉鎖状態の容器の背面からの斜視図である。
【図８】スライド部材の斜視図である。
【図９】ケースの斜視図であり、（ａ）は封止部材を取り外す前の状態の斜視図、（ｂ）は封止部材を取り外した後の状態の背面からの斜視図である。
【図１０】容器中央の縦方向の断面図であり、（ａ）は排出状態の断面図、（ｂ）は排出状態から閉鎖状態への移行途中の断面図である。
【図１１】容器中央の縦方向の断面図であり、（ａ）は閉鎖状態の断面図、（ｂ）は閉鎖状態から排出状態への移行途中の断面図である。
【発明を実施するための形態】
【００２０】
本発明の容器１について、図を用いて以下に詳細に説明する。図１〜４に示すのが、本発明の容器１の斜視図である。
【００２１】
本発明の容器１は、揮発性成分を含有する物質を収容したケース５を保持し、前記ケース５から揮発性成分を必要に応じて排出する容器であって、図１〜４に示すように、容器本体２、スライド部材３、および弾性部材４から構成される。前記容器本体２は、図３，４に示すように前半分と後半分の２つに分割可能であり、前半分と後半分とは嵌合されて、図１，２に示すように１つの容器本体２となっている。容器本体２は前半分と後半分とが互いに繰り返し着脱可能な構造である。
【００２２】
前記容器本体２の上面には前記スライド部材３が通過する通路となる開口２１が形成され、前記容器本体２の内部には、図３，４に示すように前記スライド部材３の下部、および前記弾性部材４が配置されており、前記スライド部材３に保持された前記ケース５の下部も配置されている。前記容器本体２の内部には、左右２つのスライド溝２２（図３，４には左側のスライド溝２２だけが図示されている）が前記容器本体２に対して上下方向に平行に形成されており、図３，４に示すように前記スライド部材３に設けられたスライド突起３４が前記スライド溝２２内に摺動可能に配置されている。前記スライド部材３は、前記容器本体２に対して上下に摺動する構造を用いて説明しているが、摺動する方向は限定するものではなく、例えば前記容器本体２に対して左右に摺動する構造を用いることも可能である。
【００２３】
前記容器本体２のスライド溝２２は、複数の壁によって溝が形成されているが、前記スライド溝２２の上端はストッパーとなる壁３０によって閉じられており、これにより、図３，４に示すように前記スライド突起３４の上方への摺動が停止される。左側のスライド溝２２は、図３，４に示すように、スライド溝２２を形成する壁の２箇所に切り欠き２３を設けており、前記切り欠き２３は前記スライド突起３４が通過する大きさであり、かつ、２つの切り欠き２３の間隔は２つのスライド突起３４の間隔と同じに形成されている。前記スライド溝２２の形態は特に限定するものではなく、前記容器本体２の内面に直接、窪み等を形成することも可能である。図３，４に図示されていない右側のスライド溝２２には、切り欠きは存在しない。
【００２４】
前記容器本体２の内部の底面には、図３，４に示すように、弾性部材４を保持するための略半円筒形の保持部２４が形成されており、前記弾性部材４である２つのバネの下端部が前記保持部２４に保持されている。そして、前記容器本体２の背面には、図６，７に示すように前記スライド部材３の摺動によって開閉される開口２９が形成されている。前記開口２９は３つに分割されているが、１つの開口あるいはその他の数に分割された開口でもよい。
【００２５】
前記容器本体２の正面には、図１，２に示すように略Ｔ字状の押圧部材用開口２５が形成されており、前記押圧部材用開口２５内に略Ｔ字状の押圧部材２６が、接続部２７を介して配置されている。前記接続部２７は、図５に示すようにＴ字の２箇所のコーナー付近にそれぞれ２つずつ形成されている。前記容器本体２の前半分、前記押圧部材２６および前記接続部２７は、樹脂によって一体成形されていることによって、前記押圧部材２６を正面から押すと前記接続部２７が変形し、図１１（ｂ）に示すように前記容器本体２に対して前記押圧部材２６は上部が前記容器本体２内部に、下部が前記容器本体２の外部へと移動する。前記押圧部材２６を押す動作をやめると、前記押圧部材２６は弾性変形した前記接続部２７の弾性力によって元の位置に戻る。前記押圧部材２６の背面（前記容器本体２内部側の面）の下端には、図３，１０，１１に示すように水平方向に突出した係合突起２８が形成されており、前記押圧部材２６の移動によって、前記係合突起２８も同時に移動する。
【００２６】
前記スライド部材３は、図８に示すようにスライド部材本体３１、前記スライド部材本体３１の下端に形成された第２ホルダー３２、前記スライド部材本体３１の上端に形成された第１ホルダー３３、および、前記スライド部材本体３１の左右に２つずつ水平方向に突出するように形成された前記スライド突起３４から構成される。前記スライド部材本体３１には、第１の開口３５および第２の開口３６が上下に形成されている。前記第２の開口３６は１つの開口であり、前記第１の開口３５は３つに分割されているが、１つの開口あるいはその他の数に分割された開口でもよい。
【００２７】
前記スライド部材３のスライド部材本体３１には、前記第１の開口３５および前記第２の開口３６を左右から挟むように垂直方向に延伸する２つのリブ３７が形成されている。前記リブ３７は前記スライド部材３に保持される前記ケース５（図８には図示せず）と前記スライド部材本体３１との間に空間を形成するためのものである。
【００２８】
前記スライド部材３の第２ホルダー３２は、正面、左右側面、および底面から構成されている。前記ケース５の下端を位置決めし保持するための保持部を形成することも可能である。そして、前記第２ホルダー３２の正面には係合開口３９が形成されており、前記係合開口３９の上部及び左右には鍔６１が形成されている。前記係合開口３９には、前記容器本体２の正面の押圧部材２６に設けられた係合突起２８が挿入されることで前記スライド部材３と前記容器本体２との係合が行われることから、前記係合突起２８および前記係合開口３９によって前記スライド部材３と前記容器本体２との係合部材が構成される。
【００２９】
また、前記スライド部材３の第２ホルダー３２の底面には下方に突出する２つの略円筒形の脚６２が形成されており、前記弾性部材４である２つのバネ（図８には図示せず）の上端に前記脚６２がそれぞれ挿入されることによって、前記バネは前記スライド部材３に保持される。さらに、前記第２ホルダー３２の底面の２つの脚６２の間には、下方に突出したガイド部材６６が形成されている。前記ガイド部材６６の正面は下方に向かって奥へと傾斜した傾斜面となっており、前記傾斜面によって、図１０（ｂ）に示すように前記係合突起２８が前記係合開口３９へと誘導される。
【００３０】
前記スライド部材３の第１ホルダー３３は、正面、左右側面、および上面から構成され、図１，２に示すように前記左右側面にそれぞれ形成された爪６３が、スライド部材本体３１の上部に設けられた凹部６４と係合することで、前記第１ホルダー３３は前記スライド部材本体３１に着脱可能に配置されている。これにより、前記第１ホルダー３３を前記スライド部材本体３１から取り外した状態で、前記ケース５の下端を前記第２ホルダー３２に挿入し、その後、前記第１ホルダー３３を前記スライド部材本体３１に取付けて前記ケースの上端を覆うことで、前記ケース５を前記スライド部材３が保持する状態となる。
【００３１】
前記第１ホルダー３３は、図８に示すような前記スライド部材本体３１から完全に取り外すことができる形態に限定するものではなく、例えば、前記スライド部材本体３１と前記第１ホルダー３３とを、接続部材と共に一体成形する、あるいはヒンジ等の接続部材を用いることで、前記第１ホルダー３３の一部が前記スライド部材本体３１と接続された状態で前記第１ホルダー３３を前記スライド部材本体３１の前方から離れる構造とすることも可能である。
【００３２】
前記スライド部材３を前記容器本体２に取付ける方法について説明する。前記スライド部材３の右側に設けられた２つのスライド突起３４を、前記容器本体２の内部の右側に設けられたスライド溝２２に挿入する。次に、前記スライド部材３の左側に設けられた２つのスライド突起３４を、前記容器本体２の内部の左側に設けられたスライド溝２２に、前記切り欠き２３から挿入する。このように、前記スライド溝２２に前記切り欠き２３を設けることで、前記スライド部材３を簡単に前記容器本体２に取付けることができる。前記スライド部材３を取り外す際には、前記スライド部材３の左側に設けられた２つのスライド突起３４を、前記切り欠き２３を通して前記スライド溝２２から出すことで簡単に取り外すことができる。
【００３３】
前記弾性部材４として２つのバネを用いているが、バネの数は２つに限定するものではなく、また、弾性部材４としてバネ以外を用いることも可能である。バネの数に合わせて、前記容器本体２の保持部２４および前記スライド部材３の脚６２の数および形態も適宜変更可能である。
【００３４】
図９に示すように、前記ケース５は、揮発性成分を含有する物質を収容するスペースを板状の部材に凹部として形成したケース本体５１、前記ケース本体５１の背面に形成された開口５２を覆うように設けられた膜５３、および、前記膜５３を覆う封止部材５４から構成され、前記ケース本体５１の凹部は下部が前記スライド部材３の第２ホルダー３２内に挿入される。
【００３５】
前記ケース５の膜５３は、前記ケース５に収容された物質から揮発性成分を透過させる構造であり、前記物質が液体である場合には前記液体は通過させない構造である。前記封止部材５４は取り外し可能に前記ケース本体５１に固定されており、前記膜５３を覆い、揮発性成分が前記膜５３を通じて外部へ排出されることを阻止する。前記封止部材５４は前記ケース本体５１の背面全体を覆い、さらに、図９（ａ）に示すように、前記ケース本体５１の上方へつまみの形状で突出するように形成されている。前記封止部材５４のつまみの形状の部分を引っ張ると、前記封止部材５４は前記ケース本体５１から取り外されて、図９（ｂ）に示すように前記膜５３が露出した状態となる。前記ケース５の形状は特に限定するものではなく、図示したもの以外の形状も可能である。また、前記ケース５の開口５２の形状および位置は適宜変更可能である。
【００３６】
前記ケース５に収容される物質としては、様々な物を用いることが可能であり、前記容器１を車内で使用する場合には、芳香剤または消臭剤を用いることが可能である。また、前記物質は液体または固体とすることが可能であり、揮発性成分が含まれていればその形態は特に限定するものではない。
【００３７】
前記容器１を車内で使用する場合には、図６に示すように前記容器本体２の背面に、車のエアコンの吹き出し口のルーバーに係止される係止部材としてのクリップ６を設けることが可能である。前記クリップ６によってエアコンの吹き出し口のルーバーに本発明の容器１を係止させて固定することで、エアコンの風を利用してケース５内の芳香剤などを車内に送り出すことができる。前記クリップ６は、図７に示すように前記容器本体２に着脱可能に取付けることができる。この場合、前記容器本体２の背面に保持部材６７を設けて前記クリップ６をスライドさせて取付ける構造とすることができる。その他にも、前記クリップ６を前記容器本体２と一体成形する方法、あるいは、前記クリップ６と前記容器本体２を個別に形成した後、着脱不可能に前記クリップ６を前記容器本体２の背面に固定する方法を用いることができる。
【００３８】
次に、前記容器１のスライド部材３が摺動する構造について説明する。図１，１０（ａ）に示す状態から、図１０（ｂ）に示すように前記スライド部材３を上から押すことによって、前記スライド部材３を前記弾性部材４による弾性力に逆らって下方へと摺動させ、係合部材である前記容器本体２の係合突起２８と前記スライド部材３の係合開口３９とを係合させて、図１１（ａ）に示すように前記スライド部材３と前記容器本体２とを互いに固定した閉鎖状態とする。
【００３９】
すなわち、前記スライド部材３を下方へ摺動させると、図１０（ｂ）に示すように前記係合突起２８が前記第２ホルダー３２のガイド部材６６と当接し、前記ガイド部材６６の傾斜面によって前記係合突起２８は前記容器本体２の外側へと押される。前記係合突起２８が外側へと押されることによって、前記接続部２７が変形し、前記押圧部材２６は下部が前記容器本体２の外側に、上部が内側へと移動する。そして、前記スライド部材３がさらに下方へと摺動すると、前記係合突起２８が前記第２ホルダー３２の鍔６１と当接し、前記スライド部材３の下方への摺動が停止される。
【００４０】
この時、前記押圧部材２６は前記接続部２７が変形していることによって、前記押圧部材２６は下部が前記容器本体２の内側に、上部が外側へと移動するように弾性力が作用しているので、このような方向に前記押圧部材２６が移動して前記係合突起２８が前記係合開口３９へと挿入される。これにより、図１１（ａ）に示すように前記容器本体２の係合突起２８と前記スライド部材３の係合開口３９が係合し、前記スライド部材３と前記容器本体２とが互いに固定されて、前記容器１は図２，７に示すような閉鎖状態となる。
【００４１】
閉鎖状態においては、図２に示すように前記スライド部材３の第１ホルダー３３が前記容器本体２の上面と接しており、前記容器本体２の開口２１は閉じられていることから前記容器本体２内部は密閉された状態となり、前記ケース５全体は前記容器本体２および前記第１ホルダー３３によって覆われて隠されていることから、前記ケース５は外部に露出されることはない。閉鎖状態における前記容器本体２内部が密閉された状態とは、完全に気密な状態でなくとも、前記容器本体２およびスライド部材３に設けられた開口が覆われて閉じられている程度で足りる。そして図１１（ａ）に示すように、前記スライド部材３の第１の開口３５および第２の開口３６は前記容器本体２内に位置し前記容器本体２の背面によって閉じられており、前記容器本体２の開口２９は前記スライド部材３の背面によって閉じられている。これにより、前記ケース５の背面の開口５２は閉鎖された状態となっている。閉鎖状態において、前記スライド部材３は前記第１ホルダー３３が前記容器本体２から上方に突出した状態であるが、前記スライド部材３全体を前記容器本体２内部に収容し、前記スライド部材３の上端に設けた蓋等の部材によって前記開口２１を閉じる構造を用いることも可能である。
【００４２】
閉鎖状態において、図１１（ｂ）に示すように前記容器本体２の押圧部材２６の上部を前記容器本体２の内側へと押すと、前記押圧部材２６は上部が前記容器本体２の内側に、下部が前記容器本体２の外側へと移動する。それに伴い、前記係合突起２８が外側へと移動して前記係合開口３９から引き出され、前記係合突起２８と前記係合開口３９との係合が解除され、前記スライド部材３は前記容器本体２に固定されていた状態から解放される。その結果、前記スライド部材３は前記弾性部材４による上方への弾性力によって上方へ摺動する。前記スライド溝２２内を上方へ摺動しているスライド突起３４が前記スライド溝２２の上端に設けられた壁３０と当接すると、前記スライド突起３４の上方への摺動が停止される。すると、図１０（ａ）に示すように前記スライド部材３の上方への摺動が終了し、前記容器１は図１，６に示すような排出状態となる。
【００４３】
排出状態では、前記スライド部材３の前記容器本体２の開口２１からの突出量が最大となっており、図１に示すように前記ケース５の一部が外部に露出された状態となっている。そして、図６に示すように前記スライド部材３の第１の開口３５は前記容器本体２の外部に露出されており、前記第２の開口３６は前記容器本体２の前記開口２９と重なっている。これにより、前記ケース５の背面の開口５２は、前記スライド部材３の第１の開口３５および第２の開口３６と、前記容器本体２の開口２９を通じて外部と連通し、開放された状態となる。
【００４４】
排出状態は、前記ケース５の開口５２から揮発性成分を外部へと排出可能な状態であればよい。例えば、前記スライド部材３の前記第１の開口３５および前記第２の開口３６は、少なくともどちらかの開口を設ければ前記ケース５の開口５２を開放された状態とすることができる。この場合、前記容器本体２の背面の開口２９については、前記第２の開口３６を設ける場合のみ必要となる。また、前記スライド部材３の前記第１の開口３５と前記第２の開口３６、および前記容器本体２の背面の開口２９を設けない前記容器１の構造も可能である。例えば、前記ケース５を開口５２が正面となるように、前記スライド部材３によって保持すると、前記容器本体２の開口２１から前記スライド部材３が上方に突出した状態では、前記ケース５の開口５２の少なくとも一部が外部に露出された排出状態となり、前記ケース５内の成分を外部へと排出することができる状態となる。このように、前記容器本体２および前記スライド部材３の開口については、有無を含め様々な形態が可能である。
【００４５】
例えば、前記ケース５内に収容された物質が芳香剤の場合は、揮発性成分が前記ケース５の背面の開口５２から外部へと排出され、外部に香りを送ることができる。前記容器１を前記クリップ６を用いて車のエアコンの送風口のルーバーに固定しておくと、前記ケース５の背面の開口５２がエアコンの送風口の正面に位置することになり、エアコンの風によって芳香剤は車内へと送られてより効果的に芳香効果を得ることができる。そして、必要に応じて前記第１ホルダー３３を上から押すことによって前記容器１を閉鎖状態にすると、芳香剤が外部へ排出されるのを停止することができる。
【００４６】
このように、本発明の容器１は、押圧部材２６を押すだけで閉鎖状態から排出状態へと移行し、スライド部材３を上から押すだけで排出状態から閉鎖状態へ簡単に移行することが可能となり、ケース５内の揮発性成分を必要な時に排出し、不要な時には遮断することで排出を停止することが可能となる。これによって、ケース５内の揮発性成分の効果を長期間得ることができるようになる。
【００４７】
次に、ケース５を容器１に取付ける方法について説明する。図４に示すように、まずは容器本体２を前半分と後半分に分割し、前記スライド部材３の第１ホルダー３３を取り外した状態とする。この状態でケース５のケース本体５１の下端を前記スライド部材３の第２ホルダー３２に挿入して保持する。その後、前記第１ホルダー３３を前記スライド部材本体３１に取付けることで、図３に示すように前記ケース５を前記スライド部材３によって保持した状態となる。
【００４８】
この時、前記ケース５の封止部材５４のつまみの部分を引っ張って、前記封止部材５４を取り外して前記膜５３が露出した状態としておき、予め前記ケース５内の揮発性成分を外部へと排出可能な状態としておく。前記ケース５を配置した後、分割した前記容器本体２を組み合わせると、前記容器１へのケース５の取付けが完了する。
【００４９】
前記ケース５内の物質から揮発性成分がなくなった場合には、前記ケース５を配置したのとは逆の手順で、空になった前記ケース５を取り外し、再度、新しいケース５を配置することも可能である。
【００５０】
本発明の容器１は、簡単な動作で、そして繰り返し、閉鎖状態から排出状態、および排出状態から閉鎖状態へと移行することが可能であり、また、繰り返し使用することも可能である。
【符号の説明】
【００５１】
１      容器
２      容器本体
３      スライド部材
４      弾性部材
５      ケース
６      クリップ
２１    開口
２２    スライド溝
２３    切り欠き
２４    保持部
２５    押圧部材用開口
２６    押圧部材
２７    接続部
２８    係合突起
２９    開口
３０    壁
３１    スライド部材本体
３２    第２ホルダー
３３    第１ホルダー
３４    スライド突起
３５    第１の開口
３６    第２の開口
３７    リブ
３９    係合開口
５１    ケース本体
５２    開口
５３    膜
５４    封止部材
６１    鍔
６２    脚
６３    爪
６４    凹部
６６    ガイド部材
６７    保持部材
【図１】
0006336348.tif 000002
【図２】
0006336348.tif 000003
【図３】
0006336348.tif 000004
【図４】
0006336348.tif 000005
【図５】
0006336348.tif 000006
【図６】
0006336348.tif 000007
【図７】
0006336348.tif 000008
【図８】
0006336348.tif 000009
【図９】
0006336348.tif 000010
【図１０】
0006336348.tif 000011
【図１１】
0006336348.tif 000012